(57)【要約】      （修正有）【課題】段ボールの蓋面を二重構造にすることで配送と返送の段ボールを一元化し、返送が必要な場面においての無駄な手間と資源の削減が可能な段ボール箱を提供する。【解決手段】配送用段ボール箱は直方体の形からなり、上部の上蓋、側面、底面から成り立っており、配送用段ボール本体における側面の上部に蓋面全体を覆う第一の上蓋３と、立方体に組み立てた際、この第一の上蓋に相対する向きでこの第一の上蓋を覆う第二の上蓋１と、この第二の上蓋と側面の接地箇所に設けた切り取り線５とからなり、前記第一の上蓋の上面に返送用伝票の貼り付け部４を設け、前記第二の上蓋の上面に配送用伝票の貼り付け部２を設けた。返送時に前記切り取り線から前記第二の上蓋を切り離すことで配送と返送の段ボールを一元化することが可能となる。【選択図】図１
0003232627.tif 000002
【実用新案登録請求の範囲】
【請求項１】
配送用段ボール本体の蓋面全体を覆う第一の上蓋と、この第一の上蓋に相対する向きでこの第一の上蓋を覆う第二の上蓋と、この第二の上蓋の折り曲げ部に設けた切り取り線とからなり、前記第一の上蓋の上面に返送用伝票の貼り付け部を設け、前記第二の上蓋の上面に配送用伝票の貼り付け部を設けたことを特徴とする配送用段ボール。
【請求項２】
請求項１の配送用段ボールにおいて、前記第二の上蓋の先端に挿し部を設け、前記第一の上蓋の基部に挿し込み孔を設け、前記第二の上蓋の前記挿し部を前記第一の上蓋の前記挿し込み孔に挿し込むことにより前記配送用段ボールを閉じた状態に維持することが出来ることを特徴とする配送用段ボール。
【考案の詳細な説明】
【技術分野】
【０００１】      本考案は、配送用段ボールに関するものである。
【背景技術】
【０００２】      通常、通販業界では、顧客からの発注で配送と返送が必要となる物の往復時、配送時と返送時において２つの段ボールを使用していた。
【先行技術文献】
【特許文献】
【０００３】
【特許文献１】実用新案登録第３２１５１７２号公報
【０００４】
【考案の概要】
【考案が解決しようとする課題】
【０００５】      従来の配送と返送で使用する段ボールは使い切りのケースが多く、そのまま資源ごみとして廃棄処分されていた。それによって経済的・環境面においても負担となっている。従って、配送と返送の段ボールを一元化することで、無駄な手間と資源の削減が可能になり、前述の欠点を解決しようとするものである。
【課題を解決するための手段】
【０００６】      請求項１の本考案は、配送用段ボール本体の蓋面全体を覆う第一の上蓋と、この第一の上蓋に対向する向きでこの第一の上蓋を覆う第二の上蓋と、この第二の上蓋の折り曲げ部に設けた切り取り線とからなり、前記第一の上蓋の上面に返送用伝票の貼り付け部を設け、前記第二の上蓋の上面に配送用伝票の貼り付け部を設けたことを特徴とする。
請求項２の本考案は請求項１の配送用段ボールにおいて、前記第二の上蓋の先端に挿し部を設け、前記第一の上蓋の基部に挿し込み孔を設け、前記第二の上蓋の前記挿し部を前記第一の上蓋の前記挿し込み孔に挿し込むことにより前記配送用段ボールを閉じた状態に維持することが出来ることを特徴とする。
【考案の効果】
【０００７】      請求項１の本考案によれば、返送時には、第二の上蓋の折り曲げ部に設けた切り取り線を引っ張り、段ボール本体から第二の上蓋を切り離すことによって、そのまま返送用段ボールとして使用することができ、経済的・環境面においても無駄な廃棄がなく、使用することができる。
請求項２の本考案によれば、ガムテープ等で開口面の接着固定をせずとも閉じた状態を維持することができる。
【図面の簡単な説明】
【０００８】
【図１】本考案の配送用段ボールの展開図。
【図２】側面と底面を組み立てた状態を示す図である。
【図３】図２の状態から内蓋６，７を織り込んだ状態である。
【図４】図３の状態から第一の上蓋３を織り込んだ状態である。
【図５】図４の状態から第二の上蓋１を織り込んだ状態である。
【考案を実施するための形態】
【０００９】      第一の上蓋部分に返送用伝票を貼り付け、第二の上蓋面には配送用伝票を貼り付けた状態で荷物を送ることで、返送が必要になる形態においては第二の上蓋折り曲げ部に設けてある切取り部分を切り離すことでそのまま返送が可能な段ボールとして使用が可能になる。
【００１０】      本考案の配送用段ボールの実施形態について図１〜図５を用いて説明する。図１は本考案の配送用段ボールの展開図である。符号１は配送用段ボール全体を覆う第二の上蓋となっており、その面上には符号２の配送伝票貼り付け部が設けられている。配送時にはこの配送伝票貼り付け部２に配送用伝票を貼り付ける。符号３は第一の上蓋である。その第一の上蓋３は側面と底面を組み立てて符号６，７にあたる内蓋を織り込んだ後に織り込む上蓋である。この第二の上蓋１の上面には符号４の返送伝票貼り付け部が設けられており、送る際に返送伝票を貼り付けて送ることで返送時の手間を省ける。符号５は第二の上蓋１の折り曲げ部に設けた切り取り線となっており、返送時、この切り取り線５を引っ張ることで容易に第二の上蓋１を切り離すことができる仕様となっている。符号６，７は内蓋となっており、本配送用段ボールを組み立て後、第一の上蓋３を織り込む前に織り込む部位となり、本配送用段ボール内に格納する商品の保護の役割を持つ。符号８は挿し込み孔となっており、第二の上蓋１を織り込み、本配送用段ボールを閉じる際、符号９の挿し部を挿し込み孔８の受けに挿し込むことで上蓋を固定することができる。
【００１１】      図２は側面と底面を組み立て、内蓋にあたる６，７と第一の上蓋３，第二の上蓋１を開いた状態である。この配送用段ボール内に配送する商品を格納し、図３の様に内蓋６，７を織り込んだ状態にすることで、商品の保護の役割をもつ。
【００１２】      図４は図３の状態から第一の上蓋３を織り込んだ状態で第一の上蓋３に挿し部９の受けである挿し込み孔８がもうけてあり、第二の上蓋１に挿し部９が設けられている。図４の様に第一の上蓋３を織り込む。この際に返送伝票貼り付け部４に返送伝票を予め記入し、貼り付けておく。
【００１３】      図５は図４の状態から第二の上蓋１を織り込んだ状態で挿し込み部８に挿し部９が挿し込まれて上蓋が閉ざされた状態である。図５の様に第二の上蓋１を織り込み、挿し込み孔８に挿し部９を挿し込むことによって第二の上蓋１の固定を行う。そして配送用伝票貼り付け部２に配送伝票を貼り付けることで配送ができる状態となる。
配送完了後、配送先では図５にあたる第二の上蓋１の折り曲げ部にある切り取り線５を引っ張り、第二の上蓋１を切り離すことによって、第一の上蓋３が最上面となり、返送時はそのまま返送用段ボールとして再利用が可能となり、返送用伝票が既に貼りつけられているので、そのまま返却することが出来る。
【符号の説明】
【００１４】１・・・第二の上蓋
２・・・配送伝票貼り付け部
３・・・第一の上蓋
４・・・返送伝票貼り付け部
５・・・切り取り線
６・・・内蓋
７・・・内蓋
８・・・挿し込み孔
９・・・挿し部
【図１】
0003232627.tif 000003
【図２】
0003232627.tif 000004
【図３】
0003232627.tif 000005
【図４】
0003232627.tif 000006
【図５】
0003232627.tif 000007
【手続補正書】
【提出日】令和3年2月22日(2021.2.22)
【手続補正１】
【補正対象書類名】実用新案登録請求の範囲
【補正対象項目名】請求項１
【補正方法】変更
【補正の内容】
【請求項１】
配送用段ボール本体は四面体で長方形の立方体の形からなり、上部の上蓋、側面、底面から成り立っており、配送用段ボール本体における側面の上部に蓋面全体を覆う第一の上蓋と、立方体に組み立てた際、この第一の上蓋に相対する向きでこの第一の上蓋を覆う第二の上蓋と、この第二の上蓋と側面の接地箇所に設けた切り取り線とからなり、前記第一の上蓋の上面に返送用伝票の貼り付け部を設け、前記第二の上蓋の上面に配送用伝票の貼り付け部を設けたことを特徴とする配送用段ボール。